(57)【要約】  本発明は、変形可能な弾性密封容器（１）と端部部品（２）で構成されるタンク（１＋２）の中に収納された液体物質（９）の乳化によって泡を生成するための装置において、手持ち式であり、手で圧力が加えられて容器（１）が変形した場合に泡を生成する装置に関する。  本発明に係る装置は、２つのオリフィス（５１、５２）を含むマガジン（５）を含み、これらのオリフィスはタンクとマガジンの間での空気および液体物質の交換を可能にし、逆止め弁（５４）が第２のオリフィスと結びつけられて、マガジン内に常時一定量の液体物質を保つようになっている。  本発明に係る装置は、手の圧力が加える力または時間とはほぼ独立して、非常に応答性ある形でかつ制御された量で上質の泡を得ることを可能にする。マガジン（５）の寸法決定は、手による２回の押圧間のタンクの最適な呼吸作用を可能にするようなものである。【選択図】図１
2014514223.tif 000002
【特許請求の範囲】
【請求項１】
弾性材料で作られ、１つ以上の発泡剤を含む液体物質（９）および空気を収納する、変形可能な密封容器（１）を有する泡生成用装置において、
容器（１）が封止用装置（２１）により剛性端部部品（２）に固定されて、少なくとも１つの閉鎖弁（４）および送出用オリフィス（１１）によって外部と連通するタンク（１＋２）を形成しており、
送出用オリフィス（１１）が、泡形成要素（７ａ、７ｂ）およびニードル（１４）と結びつけられた可変流量通路（１４）によってタンク（１＋２）の内部と連通しており、
閉鎖弁（４）は、容器（１）が圧力によって変形する時に端部部品（２）内の吸気オリフィス（１０）を閉鎖し、容器（１）がその初期形状を回復する時にタンク（１＋２）の外部から内部へと空気が移行できるようにするために吸気オリフィス（１０）を開放する、泡生成用装置であって、
可変流量通路（６）が、その上部部分で開放しＵ字形の丸味ある基部上で逆止め弁により閉鎖されているＵ字形横断面を有するマガジン（５）と連通しており、
マガジン（５）が液体物質（９）と空気とを収納し、２つのオリフィスを含み、そのうち第１のオリフィス（５１）はマガジン（５）の高さのほぼ中間のところに設けられ、第２のオリフィス（５２）はマガジン（５）の丸味ある基部内でその底面に設けられて、逆止め弁を収容するようになっており、
第１のオリフィス（５１）は、容器（１）が圧力によって変形する時に容器（１）からマガジン（５）まで空気を移行させる役を成し、かつ／または、マガジン（５）内の液体物質（９）のレベルが第１のオリフィスのレベルを超えた時点でマガジン（５）から容器（１）まで液体物質（９）を排出するために役を成し、
第２のオリフィス（５２）は、浸漬管（５３）により、容器（１）の底面まで下方に延長されている、
ことを特徴とする泡生成用装置。
【請求項２】
カバー（３）が、
端部部品（２）上に取付けられ、かつ、
カバー（３）と端部部品（２）の間の連結用要素（１７）と、一方では泡形成装置の出口（１８）とそして他方では泡送出用オリフィスと連通する導管チャンバ（１２）と、吸気オリフィス（１０）および送出用オリフィス（１１）の閉鎖用ボス（１５）と、を含む複数の機能的要素を有する、
ことを特徴とする請求項１に記載の装置。
【請求項３】
可変流量通路（６）が、
円筒形の外部形状を有するスリーブで構成されており、
このスリーブの内部形状は、
ニードル（１４）がストッパ要素（１６）上の停止位置にある場合、液体物質（９）の流量が最大となり、
ニードル（１４）が座部（１９）上に支持されている場合、液体物質（９）の処理量がゼロであるように、
スリーブの上端部ではニードル（１４）のためのストッパ要素（１６）を提供し、
スリーブの底端部ではニードル（１４）のための座部（１９）を提供する、
ようにされている、
ことを特徴とする請求項１に記載の装置。
【請求項４】
閉鎖弁（４）が膜を有する、ことを特徴とする請求項１に記載の装置。
【請求項５】
膜式閉鎖弁（４）が、吸気オリフィス（１０）に面してタンク（１、２）の内部に位置し、開放している場合保持用装置（２２）上に載接している、ことを特徴とする請求項１および４に記載の装置。
【請求項６】
逆止め弁（５４）がボールを有する、ことを特徴とする請求項１に記載の装置。
【請求項７】
泡形成要素（７ａ、７ｂ）が、泡送出用オリフィス（１１）に適応された寸法および形状を有し、有孔シリンダ（１３）によって互いに離隔されている２つのグリッドで構成されている、ことを特徴とする請求項１〜３に記載の装置。
【請求項８】
中央要素により互いに保持され、中央要素に沿って分布し、瓶洗いブラシの形状が付与されている一連の剛性ワイヤーが、泡形成要素（７ａ、７ｂ）を構成する２つのグリッドの間でシリンダ（１３）内に位置設定されている、
ことを特徴とする請求項７に記載の装置。
【請求項９】
カバー（３）と端部部品（２）の間の連結用要素（１７）が、
端部部品（２）との関係におけるカバー（３）の並進運動を可能にし、こうしてボス（１５）が、タンク（１＋２）をその吸気オリフィス（１０）および送出用オリフィス（１１）の領域内で密閉するようになっている、
ことを特徴とする請求項２に記載の装置。
【請求項１０】
タンク（１＋２）が２つの部分で構成され、剛性部分が端部部品（２）を形成し、可撓性部分が容器（１）を形成し、剛性部分が、異なる容積を有する可撓性部分に適応されていることを特徴とする請求項１〜９に記載の装置。
【発明の詳細な説明】
【技術分野】
【０００１】
本発明は、泡生成用装置において、タンク内に収納された液体物質の乳化により泡が生成され、手持ち式でありかつ手で圧力が加えられて変形可能なタンクが変形する時に泡を生成する装置の分野に関する。
【背景技術】
【０００２】
ＡＩＲＳＰＲＡＹ社が出願した特許文献１は、垂直方向に並進運動するよう可動である泡送出し用上面を有するフォームポンプにおいて、この可動ヘッド上の圧力により泡が送出されるフォームポンプについて記載している。バネ式戻りシステムにより、ヘッドは自動的に跳ね返ることができる。ポンプの内部で、ヘッドの跳ね返りは、一定用量の液体製品および周囲環境由来の一定用量の空気の補給をひき起こす。次にヘッドに押圧することで、ミキサーにより空気と乳化された液体製品の圧出がひき起こされる。
【０００３】
本出願人により出願された特許文献２は、非特定的なポンプを泡の生成に適応させてフォームポンプを変形させる装置を開示している。装置は、流体用ポンプの構造に付加される複数の要素で構成されている。付加される要素は、詳細にはポンプの入口から起泡性液体のレベルよりも下の屈曲部まで走行し、液体のレベルよりも上まで戻って空気中に開放する補給管であり、管は、空気が前を循環する場合に液体の吸入を可能にする吸入孔を有する。
【０００４】
しかしながら、これらのシステムは、送出し用ヘッドを押圧する毎に、ポンプの寸法に応じて較正された一用量の泡を送達することしかできない。
【０００５】
泡生成のためのシステムは他にも存在する。
ＡＩＲＳＰＲＡＹ社が出願した特許文献３は、少なくとも２つのタンクすなわち空気と混合する液体製品用の少なくとも１つのタンクと圧縮空気を収納する少なくとも１つのタンクとを含むシステムを開示している。このシステムは、ユーザーが送出用ヘッドを押圧した時に泡を送達し、泡の量は圧力の持続時間によって定義される。しかしながら、このシステムは、圧縮空気タンクの内蔵を必要とし、このことは設備を複雑にする。さらに、このタイプのシステムは詰め替えが不可能である。
【０００６】
本出願人により出願された特許文献４は、基本的液体物質用のタンクを構成するように端部部品に連結された変形可能な容器に圧力が加えられた場合に泡の圧出を発生させる詰め替え可能なフォームポンプを開示している。泡は、液体物質と周囲空気の間の乳化現象により形成される。しかしながら、このポンプにより生成される泡の量および質は、実質的に、ユーザーが変形可能な容器に対し加える圧力の力および持続時間によって左右される。
【先行技術文献】
【特許文献】
【０００７】
【特許文献１】国際公開第２００４／０７５３５号
【特許文献２】仏国特許出願公開第２００５０００７９４９号
【特許文献３】国際公開第９３／１３８２９号
【特許文献４】仏国特許出願公開第２００５０００３９７２号
【発明の概要】
【発明が解決しようとする課題】
【０００８】
本発明の目的は、製造が簡単で頑強でかつ泡の量および質を最適化し調節することを可能にする泡の生成のための装置を提案することによって、先行技術の１つ以上の欠点を是正することにある。
【課題を解決するための手段】
【０００９】
この目的は、弾性材料で作られ、１つ以上の発泡剤を含む液体物質および空気を収納する、変形可能な密封容器を有する泡生成用装置において、
容器が封止用装置により剛性端部部品に固定されて、少なくとも１つの閉鎖弁および送出用オリフィスによって外部と連通するタンクを形成しており、
送出用オリフィスが、泡形成要素およびニードルと結びつけられた可変流量通路によってタンクの内部と連通しており、
閉鎖弁は、容器が圧力によって変形する時に端部部品内の吸気オリフィスを閉鎖し、容器がその初期形状を回復する時にタンクの外部から内部へと空気が移行できるようにするために吸気オリフィスを開放する、泡生成用装置であって、
可変流量通路が、その上部部分で開放しＵ字形の丸味ある基部上で逆止め弁により閉鎖されているＵ字形横断面を有するマガジンと連通しており、
マガジンが液体物質と空気とを収納し、２つのオリフィスを含み、そのうち第１のオリフィスはマガジンの高さのほぼ中間のところに設けられ、第２のオリフィスはマガジンの丸味ある基部内でその底面に設けられて、逆止め弁を収容するようになっており、
第１のオリフィスは、容器が圧力によって変形する時に容器からマガジンまで空気を移行させる役を成し、かつ／または、マガジン内の液体物質のレベルが第１のオリフィスのレベルを超えた時点でマガジンから容器まで液体物質を排出する役を成し、
第２のオリフィスは、浸漬管により、容器の底面まで下方に延長されている、
泡生成用装置によって達成される。
【００１０】
別の特徴によると、カバーは端部部品上に取付けられ、かつカバーと端部部品の間の連結用要素、一方では出口とそして、他方では泡送出用オリフィスと連通する導管チャンバ、ならびに吸気オリフィスおよび送出用オリフィスの閉鎖用ボスを含めた複数の機能的要素を有している。
【００１１】
別の特徴によると、可変流量通路は、円筒形の外部形状を有するスリーブで構成されており、このスリーブの内部形状は、ニードルがストッパ要素上の停止位置にある場合、液体物質の流量が最大となり、ニードルが座部上に支持されている場合、液体物質の処理量がゼロであるように、スリーブの上端部でニードルのためのストッパ要素を提供し、底端部ではニードルのための座部を提供するように適応するように、なっている。
【００１２】
別の特徴によると、泡形成要素は、出口通路に適応された寸法および形状を有し有孔シリンダによって互いに離隔されている２つのグリッドで構成されている。
【００１３】
別の特徴によると、可変流量通路は、円筒形の外部形状を有するスリーブで構成されており、このスリーブの内部形状は、スリーブの一端部でニードルのためのストッパ要素を提供し、前記端部から一定距離のところにニードルのための座部を提供するように適応させられ、こうして、ニードルがストッパ要素上の停止位置にある場合、液体の流量が最大となり、ニードルが座部上に支持されている場合、液体物質の処理量がゼロであるようになっている。
【００１４】
別の特徴によると、閉鎖弁は膜を有する。
【００１５】
別の特徴によると、膜式閉鎖弁は、吸気オリフィスに面するタンクの内部に位置し、開放している場合保持用装置上に載接している。
【００１６】
別の特徴によると、逆止め弁はボールを有する。
【００１７】
別の特徴によると、泡形成要素は、泡送出用オリフィスに適応された寸法および形状を有し有孔シリンダによって互いに離隔されている２つのグリッドで構成されている。
【００１８】
別の特徴によると、シリンダー内に分布し中央要素により互いに保持されて、瓶洗いブラシの形状が付与されている一連の剛性ワイヤーで構成されている。
【００１９】
別の特徴によると、カバーと端部部品の間の連結用要素は、端部部品との関係におけるカバーの並進運動を可能にし、こうしてボスが、タンクをその吸気オリフィスおよび送出用オリフィスにおいて密閉するようになっている。
【００２０】
別の特徴によると、タンクは、２つの部分で構成され、剛性部分が端部部品を形成し、軟質部分が容器を形成し、剛性部分は、異なる容積を有する可撓性部分に適応されている。
【００２１】
本発明、その特徴およびその利点は、以下で言及する図面を参照して記されている以下の説明を読むことによってさらに明確になるものである。
【図面の簡単な説明】
【００２２】
【図１】本発明に係る装置の一実施形態を示す。
【図２】カバー無しの装置の実施形態を示す。
【図３】図２中に示された実施形態の拡大図を示す。
【発明を実施するための形態】
【００２３】
本発明について、図１〜３を参照しながら説明する。
【００２４】
変形可能な弾性容器（１）は円形（２０）オリフィスを含み、このオリフィスの上には、封止用装置（２１）によって提供される容器（１）と端部部品（２）の間の密封連結部として取外し可能な形で端部部品（２）が固定されている。こうして取外し可能な密封連結部によって容器（１）に固定された端部部品（２）は、容器と共にタンク（１＋２）を形成する。端部部品（２）は、タンク内への吸気オリフィス（１０）と送出用オリフィス（１１）とを含む。非限定的に、タンクは、タンクの内部と外部環境の間に他の通路を全く含んでいない。
【００２５】
図１に示されているように、カバー（３）が端部部品（２）上に取付けられている。カバー（３）は、カバー（３）と端部部品（２）の間の連結用要素（１７）、一方では泡形成装置の出口（１８）とそして、他方では泡送出用オリフィスと連通する導管チャンバ（１２）、ならびにタンク（１＋２）のオリフィスの閉鎖用ボス（１５）を含めた複数の機能的要素を有する。実際には、カバー（３）と端部部品（２）の間の連結用要素（１７）は、カバー（３）に端部部品（２）との関係における上向きの並進運動を少なくとも許容して、カバー（３）のボス（１５）が吸気オリフィス（１０）およびタンク（１＋２）の送出用オリフィス（１１）を密閉するように配置されている。したがって、泡生成用装置の使用段階以外では、タンクの内部と外部環境の間の通路は閉塞されて、例えば装置が予期せず転倒したことなどに起因する液体物質（９）の流れをことごとく回避する。装置の使用段階の間、ユーザーは当然のことながらカバー（３）を上昇させて、タンクの内部と外部環境の間の通路を解放しなければならない。連結用要素（１７）は例えば螺入連結により提供される。別の実施形態では、カバー（３）は、端部部品（２）と摺動式枢動連結状態にあり、端部部品（２）との関係におけるカバー（３）の低下位置は、ネジ込み式連結の代りに係合システムにより維持される。
【００２６】
図２に示されているように、タンク（１＋２）の内部、より詳細には端部部品（２）の中には、吸気オリフィス（１０）に面して閉鎖弁（４）が存在し、吸気オリフィス（１０）の閉鎖位置に付勢されていない場合には保持用装置（２２）上に載接している。非限定的に、閉鎖弁は、単一のディスク状部品を形成する膜により提供される。
【００２７】
図３に示されているように、タンク（１＋２）の内部の泡形成装置は、泡形成要素（７ａ、７ｂ）、非限定的にニードル（１４）で構成される可変流量通路（６）、円筒形外部形状を有するニードル（１４）用のスリーブ、およびニードル（１４）用のストッパ（１６）を含み、通路（６）の外周に固定され容器（１）の内部に向かって配置されたマガジン（５）を含む。泡形成要素（７ａ、７ｂ）は、例えば、送出用オリフィス（１１）に適応された寸法および形状を有し、有孔シリンダ（１３）によって互いに離隔された２つのグリッドで構成されている。さらに、中央要素により互いに保持され、かつこの要素に沿って分布する一連の剛性ワイヤは、例えば前記泡形成要素（７ａ、７ｂ）を構成する２つのグリッドの間でシリンダ（１３）内に配置されて中央にあり、前記中央要素は、シリンダ（１３）の対称軸に沿って配置されている。可変流量通路（６）は、垂直で、一方では泡形成要素（７ａ、７ｂ）と、そして他方ではマガジン（５）と連通している。スリーブの底面の内部形状は、ニードル（１４）のための座部（１９）を形成するように適応され、ストッパ要素（１６）はスリーブの上部部分の中に配置されてニードル（１４）がそのスリーブから離れるのを防いでおり；ニードルとスリーブの相対的寸法は、ニードル（１４）がストッパ要素（１６）に対し当接している場合を含め、通路（６）の軸内にニードル（１４）を保持できるように適応されている。
【００２８】
マガジン（５）は、非限定的にではあるが、概ね試験管の形状を有し、その上部円筒形部分で開放し、丸味のあるＵ字形基部により閉鎖されている。マガジンは、例えば、その開放上部部分の通路（６）の円筒形外周上へのボンディングによって、可変流量通路（６）に固定されている。マガジン（５）は、マガジン（５）とタンク（１＋２）の間の液体物質（９）および空気の交換を可能にする２つのオリフィスを含む。第１のオリフィス（５１）は、例えば、マガジン（５）の高さのほぼ中間のところに設けられる。このオリフィス（５１）は、一方ではマガジン（５）内の液体物質（９）のオーバーフローを排出できるようにし、こうしてマガジン内の液体物質（９）の量は、オリフィス（５１）の位置によって制御され、他方では、マガジンはタンク内部にあることから、タンク（１＋２）とマガジン（５）の間の空気の交換を可能にする。装置が有効に機能するためには、当然のことながら、タンク（１＋２）内の液体物質のレベルがマガジン（５）のオリフィス（５１）のレベルを上回ってはならない。マガジン（５）の底面には、例えばその丸味ある基部内に、第２のオリフィス（５２）が具備されている。このオリフィス（５２）は、容易に取外し可能で交換可能であるように、例えば締まり嵌めによってマガジン（５）に固定されている浸漬管（５３）により延長される。詳細には、多少の差はあれ長い管は、多少の差こそあれ深い変形可能な容器（１）に適応される。好ましくは、タンク（１＋２）内に収納された液体物質（９）を全て使用するために、浸漬管（５３）は容器（１）の底面に向かって下方へ、容器（１）内の液体物質（９）のレベルよりも下に下降し、管（５３）が液体物質（９）中に浸漬されているかぎり機能状態にとどまる。オリフィス（５２）には同様に、逆止め弁（５４）も備わり、マガジン（５）内に収納された液体物質（９）が浸漬管（５３）を通って容器内に流入するのを防いでいる。逆止め弁（５４）には、例えばボールが具備されている。
【００２９】
泡生成用装置の駆動力は、変形可能な容器（１）上にユーザーが加える圧力、およびユーザーが加えた圧力の解除後その初期形状に復帰する能力を容器に付与する容器（１）の構成材料の弾性特性である。泡生成用装置の操作は、呼吸作用サイクルによって実施され、各サイクルは、変形可能な容器（１）の圧縮段階と、弾性容器がその初期形状に戻ることができるように弾性容器（１）に加えられた圧力を解除する段階とを含む。
【００３０】
以下の説明において、我々は、本発明に係る装置の操作サイクルの２つの段階を連続して次々に記述することで、本発明に係る泡生成用装置の動作を説明する。
【００３１】
以下の初期構成で、装置を考慮する：すなわち、変形されていない容器（１）およびマガジン（５）には液体物質（９）が半分充填され、ニードル（１４）はその座部（１９）上に載接しており、吸気オリフィス（１０）の閉鎖弁（４）はその保持用装置（２２）上に載接しており、逆止め弁（５４）はオリフィス（５２）を閉鎖して、マガジン（５）内に収納された液体物質（９）を保つ。
【００３２】
ユーザーが容器（１）に圧力を加え、容器が変形状態となった時点で、オリフィス（１０）を通って退出する空気の流れが開始する。物理的吸入現象にしたがって、閉鎖弁（４）はこのとき吸気オリフィス（１０）に対し平らに保持される。このとき、タンク内の圧力は、膜をオリフィスに接するように保ち、バルブを構成する材料の弾性特性により、バルブは封止を達成し空気がタンク（１＋２）の外部に向かって循環するのを防ぐことができる。
【００３３】
同時に、マガジン（５）には、タンク（１＋２）からの空気および液体物質（９）が供給される。一方では、液体物質（９）は浸漬管（５３）内を上昇する。液体物質（９）は、ユーザーが加える圧力に正比例する圧力を及ぼし、この圧力は逆止め弁（５４）を持ち上げ、マガジン（５）への液体物質（９）の供給を可能にする。他方では、圧縮された空気の一部分が、マガジン（５）の高さのおよそ中間のところに設けられたオリフィス（５１）を通過してタンク（１＋２）からマガジン（５）内に循環する。
【００３４】
次に、液体物質（９）と空気の第１の混合物が形成され、ニードルがその座部（１９）から圧力により持ち上げられるまで、マガジン（５）内を上昇する。このようにして持上げられたニードルは、ストッパ要素（１６）に当接し、混合物の通過に伴って激しく動かされる。通路（６）はマガジン（５）の幅よりも狭いことから、この通路（６）の内部での混合物の伝播は加速し、このことは、液体物質と空気を撹拌するという有利な効果をもたらす。さらに、通路（６）は、混合物の伝播方向との関係において発散的であることから、それは、通路（６）の出口において逆流現象を作り上げ、こうして有利にも液体物質と空気の撹拌は増強される。したがって、液体物質（９）の部分的に乳化されたプレミックスが、可変流量通路（６）の出口において得られる。
【００３５】
次に、プレミックスは、泡形成要素（７ａ）を通過し、瓶洗いブラシを形成する一連の剛性ワイヤを通って有孔シリンダ（１３）内を上昇し、次に泡形成要素（７ｂ）内を通過して最終的に送出用オリフィス（１１）を介してタンク（１＋２）から離れる。こうして、送出用オリフィス（１１）の領域内に非常に豊富な泡が生成される。このオリフィスは、それ自体泡生成用装置の出口（１８）に連結されている泡導管チャンバ（１２）に連結されており、この出口（１８）は、泡の出力を誘導して、ユーザーがそれを受取るのを容易にする。
【００３６】
ユーザーが容器（１）上への圧力を緩和した時点で、この容器は、容器（１）の変形可能な材料の弾性特性によってその初期形状に復帰する。その初期形状への復帰は、外部圧力との関係においてタンク（１＋２）内に負圧を作り出す。各々の閉鎖弁（４）は、その保持用装置（２２）上の休止位置に再び降下し、こうして対応する吸気オリフィス（１０）を開放する。空気は、吸気オリフィス（１０）を介してタンク（１＋２）内に引き込まれる。したがって、空気は、流入方向にオリフィス（１０）を通して以外はタンク（１＋２）の内部と外部の間を循環することができない。
【００３７】
同時に、液体物質（９）と空気はもはや泡形成装置の方向に推進されないことから、本発明に係る泡生成用装置は弛緩する状態にある。一方では、ニードル（１４）および逆止め弁（５４）は重力によって、前者はその座部（１９）に再度降下して可変流量通路（６）を閉鎖し、後者はマガジン（５）の底面に降下してマガジン（５）のオリフィス（５２）を閉鎖し、マガジン（５）内に収納された液体物質（９）を保持する。他方では、マガジン（５）内の液体物質（９）のオーバーフローは、オリフィス（５１）を通って容器（１）内に拡散し、浸漬管（５３）内に存在する液体物質（９）は、逆止め弁（５４）の閉鎖位置と結びつけられた吸引現象により管（５３）内に保たれる。
【００３８】
したがって、本発明に係る装置は、その初期構成に向かって弛緩する。装置の新たな操作サイクルが開始し得る。
【００３９】
装置の変形可能な容器（１）は、端部部品（２）から取り外されるように想定されている。変形可能な容器（１）は例えば、端部部品（２）が上面で係合できるようにその円形オリフィスの領域内で剛性リングを含む。タンクが取外されると、ユーザーは次にタンクに液体物質（９）を充填することができる。したがって、装置はユーザーにより詰め替え可能である。非限定的な一実施形態では、透明性によって製品のレベルが見えるようにする水平方向の充填マーカーが、容器上に含まれている。
【００４０】
一実施形態においては、泡送出ヘッドの領域内に１つの道具が付加される。この道具は例えば、泡の稠度を変更するために生成された泡を濾過するプラスチック製グリッドである。装置の別の例は、泡の噴流を例えば４つのさらに小さい噴流に分離する十字軸である。こうして本発明は、使用または付加される附属備品に応じて異なる量のみならず異なる稠度の泡を生成するための調整を可能にする。
【００４１】
泡生成用装置は、好ましくは、ユーザーにより所定の位置に保持されることによって機能する。
【００４２】
生成される泡の量は、無制限ではないが、大容量タンク（１＋２）により、大量の空気および液体物質（９）を吐出して大量の泡を生成することが可能になる。端部部品（２）は、変形可能な容器（１）の円形オリフィス（２０）の領域内で封止用装置（２１）により気密な形で固定されることによって、変形可能な容器（１）に適応されている。したがってユーザーは、異なる容積を有するものの同じ寸法のオリフィスを伴う変形可能な容器（１）を、同一の容器端部部品（２）に適応させることができる。変形可能な容器の寸法は、例えば、容器の凸形状の程度の差または容器の高さの程度の差に応じて変動する。異なるタンクサイズは、特定の用途に適応される。豊富な泡を生成するためには、大容量タンクが使用され、例えば高価な製品を節約するために少量の泡しか生成しないためには、小型タンクが使用される。タンクの可撓性の程度の差によっても、生成される泡の流量およびタイプは変化する。
【００４３】
本発明に係る装置は、複数の利点を有する。第１に、液体物質と空気の乳化が、マガジン（５）と可変流量通路（６）内で開始する、換言すると第１の泡形成要素（７ａ）の前に開始することから、最終的に得られる泡の質は向上する。その結果、このポンプによって生成される泡の量および質は、ユーザーが加える圧力の力および持続時間による影響をわずかにしか受けない。次に、装置は、泡形成装置とマガジン（５）により構成される液体物質の備蓄が近接位置にあることならびに液体物質が浸漬管（５３）内に常時保持されていることを理由として、いかなるプライミング段階も必要とせずに高い反応性を有する。したがって、わずかな起動により充分に制御された量の泡を得ることが可能である。最後に、マガジン（５）は浸漬管（５３）よりも寸法が大きいことから、容器に加えられた圧力の解除後の装置の弛緩が容易になり、タンクの呼吸作用は、マガジン（５）の無い泡生成用装置に比べて大幅に改善される。
【００４４】
当業者にとっては、本発明が、請求されている通りの本発明の範囲から逸脱することなく、他の多くの具体的形での実施形態を可能にするものであることは明白であるはずである。したがって、本実施形態は、例示的なものとみなされ、添付のクレームの範囲により定義される分野において修正可能である。
【図１】
2014514223.tif 000003
【図２】
2014514223.tif 000004
【図３】
2014514223.tif 000005
【国際調査報告】
2014514223.tif 000006
2014514223.tif 000007
2014514223.tif 000008
2014514223.tif 000009